(57)【要約】【課題】泡立てに用いる容器が装置の一部として固定されずに自由に持ち運んで使用でき、また容器内に得られる泡を邪魔物なく容易に扱うことができ、しかも容器内にセットされた石鹸水等の泡立て用液を、効率良く、短時間で十分に泡立てることができる泡立て容器の提供を課題とする。【解決手段】容器本体１０と、蓋体２０と、撹拌羽根体４０とを有する泡立て容器であって、前記撹拌羽根体４０は扁平な帯状体からなる底羽根部４２及びその両端部から連続して立ち上がる側羽根部４３を備え、且つ蓋体２０を容器本体１０に被着したときに、底羽根部４２及び側羽根部４３が容器本体１０の内底面１０ａ及び内側面１０ｂに沿って一定の狭い隙間Ｓ１、Ｓ２を持って配置される構成とすると共に底羽根部４２及び側羽根部４３の帯状体の帯面が容器本体１０の内底面１０ａ及び内側面１０ｂに対して垂直方向となる構成とする。【選択図】      図４
2015062461.tif 000002
【特許請求の範囲】
【請求項１】
容器本体と、該容器本体に着脱自在に被着する蓋体と、該蓋体に回転自在に設けられる撹拌羽根体とを有する泡立て容器であって、前記撹拌羽根体は扁平な帯状体からなる底羽根部及びその両端部から連続して立ち上がる側羽根部を備え、且つ蓋体を容器本体に被着したときに、前記底羽根部及び側羽根部が前記容器本体の内底面及び内側面に沿って一定の狭い隙間を持って配置される構成とすると共に前記底羽根部及び側羽根部の帯状体の帯面が容器本体の内底面及び内側面に対して垂直方向となる構成とすることを特徴とする泡立て容器。
【請求項２】
撹拌羽根体の回転に伴う容器本体内の液の供回りを邪魔する邪魔板を、撹拌羽根体の底羽根部及び側羽根部の内側に沿って一定の狭い隙間を持つように、蓋体に設けてあることを特徴とする請求項１に記載の泡立て容器。
【請求項３】
邪魔板は固定または撹拌羽根体の回転とは逆方向に相対回転するように構成してあることを特徴とする請求項２に記載の泡立て容器。
【請求項４】
撹拌羽根体を手動回転させるための手動回転操作ハンドルを蓋体の上面側に設けてあることを特徴とする請求項１〜３の何れかに記載の泡立て容器。
【請求項５】
撹拌羽根体を自動回転させるための手段を蓋体に設けてあることを特徴とする請求項１〜３の何れかに記載の泡立て容器。
【発明の詳細な説明】
【技術分野】
【０００１】
本発明は泡立て容器に関し、より詳しくは、石鹸やシャンプー或いは生ミルクや生卵等の液体を泡立てる泡立て容器に関する。
【背景技術】
【０００２】
石鹸や飲料を泡立てる泡立て具、泡立て器、泡立て容器等の泡立て装置は、従来から用途等に応じて、簡易なものから複雑なものまで種々提供されている。
特開２００１−１６９９６０号公報（特許文献１）には、泡立て手段として泡立てネットを用いたものとして、洗顔用泡立て具が開示されている。
特開２００６−３４６３５１号公報（特許文献２）には、泡立て手段として網状の仕切り部材を容器内に設けた石鹸泡立て器が開示されている。
特開２００１−１４５５７６号公報（特許文献３）には、泡立て手段として複数本のワイヤーを束ねた泡立器が開示されている。
上記の特許文献１〜３に示すものは何れも非常に簡易なものである。
一方、容器内に撹拌羽根を備えた泡立て装置も従来から開示されている。
特開２０００−２６２４１４号公報（特許文献４）には、蓋（６）の下面に固定羽根（９）を設け、泡立て容器（３）の内底面に回転羽根（１７）を設けた泡立て調理機が開示されている。
特表２００８−５３５５３６号公報（特許文献５）には、泡立てチャンバ（３）内にパドル（１０）を備えた泡立て手段（８）が設けられた装置が開示されている。
特開２０１０−２４０１７２号公報（特許文献６）には、ミキサー本体（１００）の上に載置されるカップ（１０）内に、撹拌体（２０）を備えた泡立て器が開示されている。
【先行技術文献】
【特許文献】
【０００３】
【特許文献１】特開２００１−１６９９６０号公報
【特許文献２】特開２００６−３４６３５１号公報
【特許文献３】特開２００１−１４５５７６号公報
【特許文献４】特開２０００−２６２４１４号公報
【特許文献５】特表２００８−５３５５３６号公報
【特許文献６】特開２０１０−２４０１７２号公報
【発明の概要】
【発明が解決しようとする課題】
【０００４】
上記容器内に撹拌羽根を備えた泡立て装置（特許文献４〜６）において、特許文献４に開示する装置は、泡立て容器（３）が調理機のケーシング（１）に固定されており、泡立て容器を自由に取り外して用いることができない問題がある。また泡立て容器（３）の底には回転軸（１６）が突出しており、泡立て容器（３）内に溜まった泡を取り出したりする際に回転軸（１６）が邪魔になる。また泡立ては泡立て容器（３）内の中央部に配置された、固定羽根（９）と回転羽根（１７）との関係のみで行われており、泡立ての効率が良くない。
上記特許文献５に示す装置の場合も、泡立てチャンバ（３）が装置の一部として組み込まれており、自由に取り外したりして用いることができない問題がある。また泡立て手段（８）が泡立てチャンバ（３）内に固定的に配置されているため、泡立てチャンバ（３）内に溜まった泡を、手で取り出したりすることが容易にできない問題がある。また泡立てチャンバ（３）内に配置されたパドル（１０）についても、泡立てチャンバ（３）の内形状との相対的な位置関係が特に開示されているわけではなく、良好な泡立ちが期待されるものではない。
上記特許文献６に示す装置では、カップ（１０）は自由に取り外しが可能であるものの、カップ（１０）内に撹拌体（２０）や回転軸（１４）が残り、カップ（１０）内の溜まった泡を手で自由に取り出したりするのに支障がある。また撹拌体（２０）が水平な円板（２１）とその上面に設けられる環状リブ（２２）からなり、泡立てが十分効率的に行えるとは言えない。
【０００５】
そこで本発明は上記従来における問題点を解決し、泡立てに用いる容器が装置の一部として固定されることなく、容器として自由に持ち運び使用することができ、また容器内で泡立てに用いられる撹拌手段が、容器内に固定的に配置されるのではなく、蓋と共に容易に容器から取り外すことができ、よって容器内に得られる泡を邪魔物なく容易に扱うことができ、しかも容器内にセットされた石鹸水等の泡立て用液を、非常に効率良く、短時間で十分に泡立てることができる泡立て容器の提供を課題とする。
【課題を解決するための手段】
【０００６】
上記課題を達成するため、本発明の泡立て容器は、容器本体と、該容器本体に着脱自在に被着する蓋体と、該蓋体に回転自在に設けられる撹拌羽根体とを有する泡立て容器であって、前記撹拌羽根体は扁平な帯状体からなる底羽根部及びその両端部から連続して立ち上がる側羽根部を備え、且つ蓋体を容器本体に被着したときに、前記底羽根部及び側羽根部が前記容器本体の内底面及び内側面に沿って一定の狭い隙間を持って配置される構成とすると共に前記底羽根部及び側羽根部の帯状体の帯面が容器本体の内底面及び内側面に対して垂直方向となる構成とすることを第１の特徴としている。
また本発明の泡立て容器は、上記第１の特徴に加えて、撹拌羽根体の回転に伴う容器本体内の液の供回りを邪魔する邪魔板を、撹拌羽根体の底羽根部及び側羽根部の内側に沿って一定の狭い隙間を持つように、蓋体に設けてあることを第２の特徴としている。
また本発明の泡立て容器は、上記第２の特徴に加えて、邪魔板は固定または撹拌羽根体の回転とは逆方向に相対回転するように構成してあることを第３の特徴としている。
また本発明の泡立て容器は、上記第１〜第３の何れかの特徴に加えて、撹拌羽根体を手動回転させるための手動回転操作ハンドルを蓋体の上面側に設けてあることを第４の特徴としている。
また本発明の泡立て容器は、上記第１〜第３の何れかの特徴に加えて、撹拌羽根体を自動回転させるための手段を蓋体に設けてあることを第５の特徴としている。
【発明の効果】
【０００７】
請求項１に記載の泡立て容器によれば、撹拌羽根体は蓋体に設けられ、蓋体は容器本体に着脱自在に被着する。従って蓋体が容器本体から外されている限りにおいて、撹拌羽根体が容器本体内の空間を占めることはない。よって、蓋体を被着する前においては、容器本体は本来の容器としての機能を存分に発揮して、持ち運びし、使用することができる。また泡立て用の液を容器本体内に容易、簡単に、且つ必要量を正確に目視しながら投入することができる。また泡立てが完了した後においては、蓋体を容器本体から取り外すことで、撹拌羽根体を容器本体内の空間から完全に取り除いた状態となるので、泡立ての済んだ容器本体をそのまま泡の入った容器として使用することができるし、また容器本体内の泡を何の支障、邪魔もなく容易に掬い取りして取り出すことができる。
また請求項１に記載の泡立て容器によれば、容器本体内に入れられた泡立て用の液の泡立てを、非常に効率よく短時間で十分に泡立てることができる。即ち、容器本体内の底部に入れられた泡立て用の液は、扁平な帯状体からなる底羽根部の回転によって、底部中央から周辺へと遠心移動させられると共に、側羽根部の帯面に沿って上方へと移動させられ、その後、蓋体に当たる等して内方へ弧を描くようにして反転、落下する動き繰り返す。この一連の動きを繰り返すことで、泡立て用の液は多量の空気を巻き込みながら撹拌され、よって一気に泡立てが進み、十分に均質でクリーミーな泡立てを短時間で完了させることができる。
【０００８】
請求項２に記載の泡立て容器によれば、上記請求項１の構成による作用効果に加えて、撹拌羽根体の回転に伴う容器本体内の液の供回りを邪魔する邪魔板を、撹拌羽根体の底羽根部及び側羽根部の内側に沿って一定の狭い隙間を持つように、蓋体に構成してあるので、泡立て用の液は、撹拌羽根体による撹拌方向（円周方向）への共回りの動きの一部を、邪魔板によって突然阻止されることとなり、大きく乱流状態となる。これによって一層多量の空気の巻き込みと撹拌が促進され、より短時間で良質の泡立てを完了することができる。
勿論、邪魔板は蓋体に設けてあるので、蓋体を外すことで容器本体内から邪魔板を除くことができ、容器本体の容器としての本来の機能を損なうことがない。
【０００９】
請求項３に記載の泡立て容器によれば、上記請求項２の構成による作用効果に加えて、邪魔板を固定とすることで、簡単に邪魔板を設けることができる。また邪魔板を撹拌羽根体の回転とは逆方向に相対回転するようにすることで、泡立て効果を更に向上させることができる。
【００１０】
請求項４に記載の泡立て容器によれば、上記請求項１〜３の何れかの構成による作用効果に加えて、撹拌羽根体を手動回転させるための手動回転操作ハンドルを蓋体の上面側に設けてあるので、容器本体内に泡立て用の液を入れ、蓋体を容器本体に被せた後、蓋体の上面側にある手動回転操作ハンドルを回すことで、手動にて簡単、容易に泡立てを行うことができる。本発明では泡立てを非常に効率よく短時間で行えるので、手動によっても十分に簡単で疲れたりすることなく、泡立てを行うことができる。
請求項５に記載の泡立て容器によれば、上記請求項１〜３の何れかの構成による作用効果に加えて、撹拌羽根体を自動回転させるための手段を蓋体に設けてあるので、ワンタッチで簡単に泡立てることができる。
【図面の簡単な説明】
【００１１】
【図１】本発明の実施形態に係る泡立て容器の全体概略図である。
【図２】本発明の実施形態に係る泡立て容器の蓋体とそれに設けられた撹拌羽根体を示す斜視図である。
【図３】本発明の実施形態に係る泡立て容器の容器本体を斜め上からみた斜視図である。
【図４】本発明の実施形態に係る泡立て容器の断面図である。
【発明を実施するための形態】
【００１２】
以下、各図面を参照して、本発明の実施形態に係る泡立て容器を説明し、本発明の理解に供する。しかし、以下の説明は特許請求の範囲に記載の本発明を限定するものではない。
【００１３】
先ず図１を参照して、本発明の実施形態に係る泡立て容器は、容器本体１０と、該容器本体１０に着脱自在に被着する蓋体２０とからなる。
図２〜図４も参照して、前記蓋体２０には、手動回転操作ハンドル３１等を備えた手動回転手段３０、撹拌羽根体４０、邪魔板５０が設けられている。
【００１４】
前記容器本体１０は、内底面１０ａと該内底面１０ａの周囲から斜めに或いは略垂直に立ち上がる内側面１０ｂとを有する容器である。この容器本体１０内に泡立てに供する液が供給されることになる。また、この容器本体１０内に泡立てられた泡が保持される。
容器本体１０の内底面１０ａの中央には、撹拌羽根体４０の回転を枢支する枢支ピン１１が設けられている。
容器本体１０は、プラスチックで構成することができる。勿論、他の材料によっても構成することは可能である。
【００１５】
前記蓋体２０は、前記容器本体１０の上部開口縁１０ｃに対して当接して蓋をする水平フランジ縁２０ａと、容器本体１０の上部開口縁１０ｃの内側に嵌まり込む垂下縁２０ｂとを備え、この水平フランジ縁２０ａと垂下縁２０ｂとによって、容器本体１０の上に着脱自在に嵌り合い、容器本体１０の上部開口を被い、蓋をする。
蓋体２０の上面側には、手動回転操作ハンドル３１が設けられている。この手動回転操作ハンドル３１は、撹拌羽根体４０を手動回転させるための手動回転手段３０を構成するもので、回転円盤３２の上面に枢支されている。回転円盤３２は蓋体２０の円形ガイド２１の内側に内接状態に回転自在に嵌め込まれている。即ち、手動回転操作ハンドル３１を手で持って回動操作させることで、回転円板３２が円形ガイド２１にガイドされながら回転する機構となっている。
【００１６】
前記回転円盤３２の裏側（下側）には、蓋体２０の中央の軸穴を貫通する貫通軸３３を介して大径の内歯歯車３４が設けられている。即ち、回転円盤３２が回転することで内歯歯車３４が回転する。
前記大径の内歯歯車３４には小径の外歯歯車３５が噛み合うように設けられている。
前記大形の内歯歯車３４と小径の外歯歯車３５は、前記蓋体２０の裏面（下面）側に一体成形された歯車カバー２２によってカバーされている。
前記小径の外歯歯車３５は、前記歯車カバー２２の一部から垂下して設けられる固定軸２３に対して回転自在に嵌め合わされている。即ち、内歯歯車３４が回転すると、その内歯歯車３４に噛み合う小径の外歯歯車３５が固定芯４１の周りをより速い速度で回転する。
前記手動回転操作ハンドル３１、回転円盤３２、貫通軸３３、内歯歯車３４、外歯歯車３５は手動回転手段３０を構成する。
【００１７】
前記小径の外歯歯車３５の下方は、前記歯車カバー２２の一部が開放されており、外歯歯車３５に撹拌羽根体４０が連結されている。
撹拌羽根体４０は、前記固定軸２３を内空に貫通させるために、筒状とした連結軸部４１によって外歯歯車３５に連結されている。
撹拌羽根体４０は、底羽根部４２、その両端部から立ち上がる一対の側羽根部４３、及び一対の側羽根部４３の各上端部から水平方向に内方に延びて前記連結軸部４１に連結される上羽根部４４を備えている。各羽根部４２、４３、４４は扁平な帯状体を四辺形状に連ねたような形状となり、それらの各羽根４２、４３、４４によって囲まれる内側に後述する邪魔板５０を配置するための空間を構成するようにしている。
【００１８】
前記底羽根部４２は、扁平な帯状体として構成される。そして蓋体２０を容器本体１０に被着したときに、容器本体１０の内底面１０ａに対して底羽根部４２が一定の狭い隙間Ｓ１をもって配置される構成としている。また容器本体１０の内底面１０ａ対して底羽根部４２の帯状体の帯面が垂直方向となる構成としている。
前記一定の狭い隙間Ｓ１をもって配置するのは、容器本体１０内に泡立て用液が低水位で入れられている場合、実際にはこのような低水位で入れられて且つ大きく泡立てる場合が多いわけであるが、低水位の泡立て用液に対しても十分に底羽根部４２が届いて、撹拌することができるようにするためである。よってこの一定の狭い隙間Ｓ１の数値が、具体的な値として限定されるものではない。
また帯状体の帯面を容器本体１０の内底面１０ａに対して垂直方向にするのは、容器本体１０内に入れられた泡立て用の液との当たりを良くして、効果的に撹拌できるようにするためである。ここで「垂直方向」とは、厳密な垂直に限定されるものではなく、斜めの状態となっているものも含む概念である。
【００１９】
前記一対の側羽根部４３も、前記底羽根部４２の両端部から連続するものとして、扁平な帯状として構成される。そして蓋体２０を容器本体１０に被着したときに、容器本体１０の内側面１０ｂに対して側羽根部４３が一定の狭い隙間Ｓ２をもって配置される構成としている。また容器本体１０の内側面１０ｂ対して側羽根部４３の帯状体の帯面が垂直方向となる構成としている。ここで、側羽根部４３を容器本体１０の内側面１０ｂに対して一定の狭い隙間Ｓ２を持って配置し、また帯状体の帯面を内側面１０ｂに対して垂直方向に配置するのは、前記底羽根部４２の場合と同様に、効果的な撹拌ができるようにするためである。
また前記底羽根部４２及び側羽根部４３を帯状体として幅をもたせているのは、液との接触面積を確保することで、良好な撹拌効果をもたらすためである。線状のものではあまり撹拌効果が期待できないのである。
【００２０】
前記上羽根部４４も扁平な帯状体とするが、配置位置が上方であり、泡立てに寄与する程度が少ないので、必ずしも扁平な帯状体である必要はない。上羽根部４４は側羽根部４３と連結軸部４１とをつなぐフレームとしての役割も果たす。
【００２１】
ところで、前記底羽根部４２の下端面の中央部には、上述した容器本体１０の枢支ピン１１を受け入れるピン受け穴４２ｂが設けられている。枢支ピン１１をピン受け穴４２ｂに受け入れることで、撹拌羽根体４０の回転を安定して行うことができる。
また前記底羽根部４２とその両端部から立ち上がる一対の側羽根部４３とからなる立ち上がり形状は、容器本体１０の底部と側部とがなす立ち上がり断面形状に伴って、ある程度相似な形状となるようにするのが好ましい。
【００２２】
前記邪魔板５０は、撹拌羽根体４０の回転に伴う容器本体１０内の液の供回りを邪魔して、撹拌を良くし、泡立ちを良くするために用いられる板である。
邪魔板５０は、前記蓋体２０の歯車カバー２２の一部から垂下して設けられた固定軸２３に対して取付軸５１によって固定的に取り付けられる。そしてこの取付軸５１に対して各邪魔片５２、５３、５４が取り付けられている。
邪魔板５０の各邪魔片５２〜５４は前記撹拌羽根体４０の各羽部４２、４３、４４に対応して、底邪魔片５２、側邪魔片５３、上邪魔片５４からなる。底邪魔片５２は底羽根部４２に対して、側邪魔片５３は側羽根部４３に対して、上邪魔片５４は上羽根片４４に対して、それらの内側に沿って一定の狭い隙間Ｓ３、Ｓ４、Ｓ５を持つように構成され、配置される。
固定状態の邪魔板５０が回転する撹拌羽根体４０に内側に隙間Ｓ３、Ｓ４、Ｓ５を持って配されることで、泡立て用の液の撹拌及び空気の巻き込みが一層良好となる。
【００２３】
本泡立て容器による泡立ての操作を説明する。
泡立てに供する原料としては、粉石けんを水に溶かしたもの、石鹸水、シャンプー等の被食品系の泡立て原料の他、生ミルク、生卵などの食品系の原料、その他、撹拌して空気と混ざることで泡立つ液体であれば、使用に供することができる。
先ず容器本体１０から蓋体２０を取り外す。そして空の容器本体１０に石鹸水等の泡立て用の液を供給する。泡立て用の液の量は、泡立てる量にもよるが、例えば撹拌羽根板体４０の底羽根部４２の一部が浸かる程度とすることができる。
泡立て用の液を入れた後、蓋体１０を被着することで準備が整う。
泡立て者は手で手動回転操作ハンドル３１を持ち、これを適当な回数或いは適当な時間回転させればよい。手動回転操作ハンドル３１の回転により、回転円盤３２、貫通軸３３、内歯歯車３４が回転する。すると歯車カバー２２に一体に設けられた固定軸２３を枢軸とする外歯歯車３５が、内歯歯車３４に従動して回転する。回転数は内歯歯車３４と外歯歯車３５の歯数に反比例して増加する。これによって撹拌羽根体４０が回転し、泡立てがなされる。
今、撹拌羽根体４０が回転すると、容器本体１０内の底に溜められている泡立て用の液が底羽根部４２によって押動されて円周方向に回転移動される。
そして円周方向に回転移動されながら、図４の矢印Ｐに示されるように、遠心力によって容器本体１０の底周縁方向に移動し、更に容器本体１０の底周縁から側羽根部４３の帯面或いは容器本体１０の内側面１０ｂに沿って上方へ上昇移動し、そして更に内側面１０ｂの上方に移動した液は、蓋体２０の裏面に当たる等して内側に反転、落下しながら多量の空気を巻き込む。そしてこの空気の巻き込みと相俟って、底羽根部４２、側羽根部４３と液との衝突、容器本体１０と撹拌羽根体４０との相対移動に伴う各隙間Ｓ１、Ｓ２、Ｓ３での液の激しい撹拌が繰り返される。
これらの一連の空気の巻き込みと撹拌が行われることで、泡立て用の液は短期間で十分効果的に泡立てられる。
【００２４】
一方、邪魔板５０は、回転することなく固定状態で、撹拌羽根体４０の内側に配置されている。しかし撹拌羽根体４０が回転されると、邪魔板５０が相対的に反対方向に回転しているのと同じ状態となり、撹拌羽根体４０とその内側にある邪魔板５０との間においても、移動してくる液が激しく撹拌され且つ多量の空気の巻き込みを生じることになる。
邪魔板５０によって、これらの一連の空気の巻き込みと撹拌が行われることで、泡立て用の液は一層効果的に短時間で泡立てられる。
【００２５】
泡立てが終了すると、蓋体２０を取り外すことで、撹拌羽根体４０等も一緒に除かれ、泡だけが残った容器本体１０を得ることができる。よって、そのまま泡の入った容器として使用に供することができる。また容器本体１０から必要な泡量を簡単に掬い取って使用に要することができる。
【００２６】
上記した実施形態では、撹拌羽根体４０を手動で回転させる手動回転手段３０を設けたが、代りに又は併せて、撹拌羽根体４０を自動回転させるための手段を蓋体２０に設けてもよい。例えばバッテリ、その他の電源と、それによって回転するモータを用いた手段である。
また撹拌羽根体４０は、その羽根数を増やすことも可能である。
更に上記した実施形態では、邪魔板５０を不動の固定状態としたが、撹拌羽根体４０の回転と同時に反対方向に回転するように構成してもよい。この場合は撹拌、空気の巻き込みが一層激しくなり、泡立てがより短期間で完了する。その他、邪魔板５０は、回転がフリーな状態に設けることも可能である。
【産業上の利用可能性】
【００２７】
本発明は被食品系や食品系の液を泡立てる泡立て容器として、産業上利用することができる。
【符号の説明】
【００２８】
１０          容器本体
１０ａ        内底面
１０ｂ        内側面
１０ｃ        開口縁
１１          枢支ピン
２０          蓋体
２０ａ        水平フランジ縁
２０ｂ        垂下縁
２１          円形ガイド
２２          歯車カバー
２３          固定軸
３０          手動回転手段
３１          手動回転操作ハンドル
３２          回転円盤
３３          貫通軸
３４          内歯歯車
３５          外歯歯車
４０          撹拌羽根体
４１          連結軸部
４２          底羽根部
４２ｂ        ピン受け穴
４３          側羽根部
４４          上羽根部
５０          邪魔板
５１          取付軸
５２          底邪魔片
５３          側邪魔片
５４          上邪魔片
Ｐ            矢印
Ｓ１          隙間
Ｓ２          隙間
Ｓ３          隙間
Ｓ４          隙間
Ｓ５          隙間
【図１】
2015062461.tif 000003
【図２】
2015062461.tif 000004
【図３】
2015062461.tif 000005
【図４】
2015062461.tif 000006